(57)【要約】【課題】３次元超音波診断装置のディスプレイシステムおよび方法を開示する。【解決手段】３次元超音波診断装置のディスプレイシステムは、人体内にある対象体の側面映像をスキャンし、側面映像を画面上の第１領域に表示する第１ディスプレイ部と、対象体の上面映像をスキャンし、上面映像を画面上の第１領域と異なる第２領域に表示する第２ディスプレイ部を備える。【選択図】図１
2011240118.tif 000002
【特許請求の範囲】
【請求項１】
人体内にある対象体の側面映像をスキャンし、前記側面映像を画面上の第１領域に表示する第１ディスプレイ部と、
前記対象体の上面映像をスキャンし、前記上面映像を前記画面上の第１領域と異なる第２領域に表示する第２ディスプレイ部と、
を備えることを特徴とする３次元超音波診断装置のディスプレイシステム。
【請求項２】
前記第１ディスプレイ部は、前記側面映像と直交する側面方向にスキャンして得た前記対象体の複数の側面映像（Ａプレーン）のうちいずれか１つを前記側面映像として抽出し、
前記第２ディスプレイ部は、前記側面方向と直交する上面方向にスキャンして得た前記対象体の複数の上面映像（Ｂプレーン）のうちいずれか１つを前記上面映像として抽出することを特徴とする請求項１に記載の３次元超音波診断装置のディスプレイシステム。
【請求項３】
前記対象体の前記上面映像内の任意の一点を貫通し、前記対象体の前記側面映像の内部を通過する仮想軸を設定し、調整命令に応じて前記仮想軸を中心軸にして前記対象体を選択された方向に回転させる映像制御部をさらに含むことを特徴とする請求項１または２に記載の３次元超音波診断装置のディスプレイシステム。
【請求項４】
前記映像制御部は、前記第１ディスプレイ部を制御して前記回転された対象体の側面映像を選択された間隔でスキャンし、前記スキャンされた側面映像がサジタルビューになったとき、前記対象体の回転を中止することを特徴とする請求項３に記載の３次元超音波診断装置のディスプレイシステム。
【請求項５】
前記第１ディスプレイ部は、前記回転の中止に連動し、前記スキャンされた側面映像がサジタルビューであることを知らせる情報を前記第１領域に表示することを特徴とする請求項４に記載の３次元超音波診断装置のディスプレイシステム。
【請求項６】
前記３次元超音波診断装置は、
前記胎児の鼻背と口蓋との間のＦＭＦ角度を測定するＦＭＦ測定部と、
前記胎児の項部透明帯の厚さを測定するＮＴ測定部とを備え、
前記対象体が胎児であり、前記側面映像がサジタルビューである場合、前記第１ディスプレイ部は、前記ＦＭＦ角度、または前記項部透明帯の厚さを前記第１領域に表示することを特徴とする請求項１ないし５のいずれかに記載の３次元超音波診断装置のディスプレイシステム。
【請求項７】
前記対象体が胎児であり、前記側面映像がサジタルビューである場合、前記第２ディスプレイ部は、前記上面映像の前記胎児の頭部の円周にマッチングする図形を前記上面映像と重複させて前記第２領域に表示することを特徴とする請求項１ないし６のいずれかに記載の３次元超音波診断装置のディスプレイシステム。
【請求項８】
前記３次元超音波診断装置は、前記図形の短軸の長さ、長軸の長さ、周縁の長さまたは短軸と長軸の比率を測定する頭測定部を備え、
前記第２ディスプレイ部は、前記図形の前記短軸の長さ、前記長軸の長さ、前記周縁の長さまたは前記短軸と長軸の比率のうち少なくとも１つを前記第２領域に表示することを特徴とする請求項７に記載の３次元超音波診断装置のディスプレイシステム。
【請求項９】
対象体の側面映像をスキャンし、前記側面映像を画面上の第１領域に表示するステップと、
前記対象体の上面映像をスキャンし、前記上面映像を前記画面上の第１領域と異なる第２領域に表示するステップと、
を含むことを特徴とする３次元超音波診断装置のディスプレイ方法。
【請求項１０】
前記側面映像を画面上の第１領域に表示するステップは、前記側面映像と直交する側面方向をスキャンして得た前記対象体の複数の側面映像（Ａプレーン）のうちいずれか１つを前記側面映像として抽出して表示するステップを含み、
前記上面映像を前記画面上の第１領域と異なる第２領域に表示するステップは、前記側面方向と直交する上面方向をスキャンして得た前記対象体の複数の上面映像のうちいずれか１つを前記上面映像として抽出して表示するステップを含むことを特徴とする請求項９に記載の３次元超音波診断装置のディスプレイ方法。
【請求項１１】
前記対象体の前記上面映像の任意の一点を貫通し、前記対象体の前記側面映像の内部を通過する仮想軸を設定し、調整命令に応じて前記仮想軸を中心軸にして前記対象体を選択された方向に回転させるステップをさらに含むことを特徴とする請求項９または１０に記載の３次元超音波診断装置のディスプレイ方法。
【請求項１２】
前記回転された対象体の側面映像を選択された間隔でスキャンし、前記スキャンされた側面映像がサジタルビューになったとき、前記対象体の回転を中止するステップをさらに含むことを特徴とする請求項１１に記載の３次元超音波診断装置のディスプレイ方法。
【請求項１３】
前記回転の中止に連動し、前記スキャンされた側面映像がサジタルビューであることを知らせる情報を前記第１領域に表示するステップをさらに含むことを特徴とする請求項１２に記載の３次元超音波診断装置のディスプレイ方法。
【請求項１４】
前記３次元超音波診断装置は、
前記胎児の鼻背と口蓋との間のＦＭＦ角度を測定するＦＭＦ測定部と、
前記胎児の項部透明帯の厚さを測定するＮＴ測定部とを備え、
前記対象体が胎児であり、前記側面映像がサジタルビューである場合、前記ＦＭＦ角度、または前記３項部透明帯の厚さを前記第１領域に表示するステップをさらに含むことを特徴とする請求項９ないし１３のいずれかに記載の３次元超音波診断装置のディスプレイ方法。
【請求項１５】
前記対象体が胎児であり、前記側面映像がサジタルビューである場合、前記上面映像の前記胎児の頭部の円周にマッチングする図形を前記上面映像と重複させて前記第２領域に表示するステップをさらに含むことを特徴とする請求項９ないし１４のいずれかに記載の３次元超音波診断装置のディスプレイ方法。
【請求項１６】
前記３次元超音波診断装置は、
前記図形の短軸の長さ、長軸の長さ、周縁の長さまたは短軸と長軸の比率を測定する頭測定部を備え、
前記短軸の長さ、前記長軸の長さ、前記周縁の長さまたは前記短軸と長軸の比率のうち少なくとも１つを前記第２領域に表示するステップをさらに含むことを特徴とする請求項１５に記載の３次元超音波診断装置のディスプレイ方法。
【発明の詳細な説明】
【技術分野】
【０００１】
本発明の実施形態は、人体内の対象体の側面映像または上面映像をスキャンして表示する３次元超音波診断装置のディスプレイシステムおよび方法に関する。
【背景技術】
【０００２】
超音波システムは、人体の体表から体内の所定部位（すなわち、胎児または臓器などの対象体）に向けて超音波信号を送信し、体内の組織から反射される超音波信号の情報を用いて軟部組織の断層像や血流に関する映像を取得する装置である。このような超音波システムは、小型かつ低廉であること、リアルタイムで表示可能であることの他、Ｘ線などの被爆がなく安全性が高いという長所を有している。このため、超音波システムは、Ｘ線診断装置、ＣＴ（Ｃｏｍｐｕｔｅｒｉｚｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｅ）装置、核医学診断装置などの他の画像診断装置と共に広く用いられている。
【０００３】
一方、ダウン症候群の胎児を鑑別する一般的な方法として、超音波システムによって胎児の項部透明帯（ｎｕｃｈａｌ  ｔｒａｎｓｌｕｃｅｎｃｙ、ＮＴ）の厚さを測定する方法がある。この方法は、１９９２年にニコーライズ（Ｎｉｃｏｌａｉｄｅｓ）によって開発された方法であって、胎児に異常がある場合、項の皮下組織に体液が蓄積されて項部透明帯が厚くなることが知られている。
【０００４】
特に、胎児がダウン症候群を始めとする染色体異常や心臓の奇形を有すると、項部透明帯（ＮＴ部）が厚くなる場合が多い。したがって、医師は超音波システムによって胎児の項裏側にある項部透明帯の厚さを測定し、この部分の厚さが２．５ｍｍを越える場合、絨毛膜生検や羊水穿刺法などの、より精密な方法によって胎児の異常を察知する。
【０００５】
ダウン症候群の胎児を鑑別する他の方法として、口蓋と鼻背との間の角度、すなわち、ＦＭＦ角度（Ｆｒｏｎｔｍａｘｉｌｌａｒｙ  Ｆａｃｉａｌ  Ａｎｇｌｅ）を測定する方法がある。正常児を７８．１度とし、８８．７度以上である場合にはダウン症候群である確率が極めて高い。
【０００６】
したがって、ダウン症候群の胎児を容易に鑑別するためには、胎児の項部透明帯の厚さ、または口蓋と鼻背との間の角度をより容易かつ正確に測定して表示することができる装置が求められている。
【発明の概要】
【発明が解決しようとする課題】
【０００７】
本発明に係る一実施形態の目的は、対象体が胎児であって、人体内にある対象体の側面映像をスキャンして表示したときの側面映像がサジタルビューである場合、前記胎児の鼻背と口蓋との間のＦＭＦ角度または前記胎児の項部透明帯の厚さを共に表示することによって、より正確なＦＭＦ角度および項部透明帯の厚さを容易に提供することにある。
【０００８】
また、本発明の一実施形態の目的は、対象体が胎児であって、人体内にある対象体の上面（頭頂）映像をスキャンして表示したときの前記側面映像がサジタルビューである場合、前記胎児の頭周縁にマッチングする図形の特徴（例えば、短軸の長さ、長軸の長さ、周縁の長さ、または短軸と長軸の比率）を、前記上面映像と重複させて表示することによって、前記胎児の頭に対する特徴を正確に認知することができるように提供することにある。
【課題を解決するための手段】
【０００９】
前述した目的を達成するための３次元超音波診断装置のディスプレイシステムは、人体内にある対象体の側面映像をスキャンし、前記側面映像を画面上の第１領域に表示する第１ディスプレイ部と、前記対象体の上面映像をスキャンし、前記上面映像を前記画面上の第１領域と異なる第２領域に表示する第２ディスプレイ部とを備えている。
【００１０】
また、前述した目的を達成するための技術的な方法として３次元超音波診断装置のディスプレイ方法は、対象体の側面映像をスキャンし、前記側面映像を画面上の第１領域に表示するステップと、前記対象体の上面映像をスキャンし、前記上面映像を前記画面上の第１領域と異なる第２領域に表示するステップとを含む。
【発明の効果】
【００１１】
本発明の一実施形態によれば、対象体が胎児であって、人体内にある対象体の側面映像をスキャンして表示したときの前記側面映像がサジタルビューである場合、前記胎児の鼻背と口蓋との間のＦＭＦ角度または前記胎児の項部透明帯の厚さを共に表示することによって、より正確なＦＭＦ角度および項部透明帯の厚さを容易に測定することができる。
【００１２】
また、本発明の一実施形態によれば、対象体が胎児であって、人体内にある対象体の上面映像をスキャンして表示したときの前記側面映像がサジタルビューである場合、前記胎児の頭周縁にマッチングする図形の特徴（例えば、短軸の長さ、長軸の長さ、周縁の長さ、または短軸と長軸の比率）を、前記上面映像と重複させて表示することによって、前記胎児の頭に対する特徴を正確に認知することができる。
【図面の簡単な説明】
【００１３】
【図１】本発明の一実施形態に係る３次元超音波診断装置のディスプレイシステムの構成を示す図である。
【図２】本発明の一実施形態に係る３次元超音波診断装置のディスプレイシステムで表示する対象体の映像の一例を示す図である。
【図３】本発明の一実施形態に係る３次元超音波診断装置のディスプレイ方法を示すフローチャートである。
【発明を実施するための形態】
【００１４】
以下、本発明に係る実施形態を添付の図面を参照して詳細に説明する。しかし、本発明が実施形態によって制限されたり限定されることはない。各図面に提示された同一の参照符号は同一の部材を示す。
【００１５】
図１は、本発明の一実施形態に係る３次元超音波診断装置のディスプレイシステムの構成を示す図、図２は、本発明の一実施形態に係る３次元超音波診断装置のディスプレイシステムで表示する対象体の映像の一例を示す図である。
【００１６】
図１に示すように、本発明の一実施形態に係る３次元超音波診断装置のディスプレイシステム１０１は、第１ディスプレイ部１０３、第２ディスプレイ部１０５および映像制御部１０７を含む。
【００１７】
なお、３次元超音波診断装置は、図示しない、超音波データ取得部と、映像形成部とを備える。この超音波データ取得部は、対象体に超音波信号を送信し、対象体から反射される超音波エコー信号を受信して超音波データを取得する。
【００１８】
映像形成部は、超音波データ取得部が取得した超音波データを用いて、対象体の映像を形成する。この映像は、対象体の側面映像（図２における第１平面２０１に直交する方向（以下、側面方向）から見た映像）や上面映像（図２における第２平面２０３に直交する方向（以下、上面方向）から見た映像）などの２次元超音波映像や、複数の２次元超音波映像で構成される３次元超音波映像を含む。映像形成部は、ディスプレイシステム１０１に連結している。  
【００１９】
第１ディスプレイ部１０３は、人体内にある対象体の側面映像をスキャンし、その側面映像を画面上の第１領域２１１に表示する役割を果す。ここで、人体内にある対象体は胎児または臓器である。
【００２０】
このとき、第１ディスプレイ部１０３は、側面方向にスキャンした対象体の複数の側平面、すなわち複数のＡプレーンのうちいずれか１つを側面映像として抽出する。ここで、対象体の複数のＡプレーンは、一定の時間間隔によって周期的に側面方向にスキャンされた複数の側面映像であって、対象体の動きに応じて互いに異なる映像である。
【００２１】
この第１ディスプレイ部１０３は、映像制御部１０７によって回転される対象体の側面映像を選択された間隔でスキャンする。このとき、第１ディスプレイ部１０３は、スキャンされた側面映像がサジタルビュー（矢状面）である場合、映像制御部１０７によって回転が中止された時、第１ディスプレイ部１０３は、画面上の第１領域に側面映像がサジタルビューであること示す情報を表示する。
【００２２】
対象体が胎児であり、側面映像がサジタルビューである場合、第１ディスプレイ部１０３は、３次元超音波診断装置のＦＭＦ測定部によって測定された胎児の鼻背と口蓋との間のＦＭＦ角度、または３次元超音波診断装置のＮＴ測定部によって測定された胎児の項部透明帯の厚さを第１領域２１１に表示する。これによって、施術者（または医師）は測定されたＦＭＦ角度または項部透明帯の厚さに基づいて、胎児に対する異常の有無をより正確に診断することができる。
【００２３】
なお、３次元超音波診断装置のＦＭＦ測定部と、ＮＴ測定部とは、図示されていないが、映像形成部に連結されている。
【００２４】
ここで、ＦＭＦ測定部は、胎児の鼻背と関連した第１特異点および胎児の口蓋と関連した第２特異点を指定して、第１特異点を通過する直線と第２特異点を通過する直線との間の角度を測定してＦＭＦ角度を測定する。このとき、ＦＭＦ測定部は、選択されたアルゴリズムと超音波データに対する映像処理を用いるか、または多年の経験と累積データを用いて、第１特異点と第２特異点を探す。
【００２５】
このため、第１ディスプレイ部１０３は、ＦＭＦ測定部によって指定された第１特異点を通過する直線と第２特異点を通過する直線およびＦＭＦ角度、更に項部透明帯の外郭線と厚さを、側面映像と重複させて第１領域に表示する。
【００２６】
第２ディスプレイ部１０５は、対象体の上面映像をスキャンして上面映像を画面上の第１領域２１１と異なる第２領域２１３に表示する。このとき、第２ディスプレイ部１０５は、側面方向と直交する上面方向にスキャンした対象体の複数の上平面（例えば、対象体が胎児である場合、頭部を上から眺めた平面）すなわち、複数のＢプレーンのうちいずれか１つを上面映像として抽出する。ここで、対象体のＢプレーンは一定の時間間隔によって周期的に上面方向にスキャンされた複数の上面映像であって、対象体の動きに応じて互いに異なる映像であるかもしれない。
【００２７】
第２ディスプレイ部１０５は、対象体が胎児であり、側面映像がサジタルビューである場合、上面映像における胎児の頭部の外周にマッチングする図形（例えば、「楕円」）を、上面映像と重複させて第２領域２１３に表示する。第２ディスプレイ部１０５は、当該図形と共に図形の中心点を表示する。ここで、当該図形の中心点は対象体の中心点であり、胎児の鼻背と関連した第１特異点および胎児の口蓋と関連した第２特異点に基づいて、ＦＭＦ測定部によって抽出される。
【００２８】
このとき、第２ディスプレイ部１０５は、３次元超音波診断装置の頭測定部によって測定された図形の短軸の長さ、長軸の長さ、周縁の長さ、または短軸と長軸の比率のうち少なくとも１つを第２領域２１３に表示する。なお、３次元超音波診断装置の頭測定部は、図示されていないが、映像形成部に連結されている。
【００２９】
この第２ディスプレイ部１０５は、円周にマッチングする図形と共に、その円周と関連した基準図形を表示することによって、円周にマッチングする図形と基準図形との差を容易に認知することが可能になる。例えば、第２ディスプレイ部１０５は、対象体が胎児である場合、スキャンされた胎児の頭周縁にマッチングする図形と共に正常胎児の頭周縁にマッチングする図形を表示することにより、検査したい胎児の頭周縁と正常胎児の頭周縁との差を明瞭に区別して表すことができる。
【００３０】
一方、第２ディスプレイ部１０５は対象体が胎児であり、側面映像がサジタルビューである場合、上面映像の円周として、例えば、胎児の頭周縁だけでなく胎児の顔周縁にマッチングする図形を上面映像と重複させて第２領域２１３に表示してもよい。
【００３１】
映像制御部１０７は、上面映像と関連する対象体のＢプレーンの任意の一点（例えば、重点）を貫通し、側面映像と関連する対象体のＡプレーンの内部（例えば、中間）を通過する仮想軸２１７を設定して、調整命令に基づき、仮想軸２１７に対して、対象体を選択された方向に回転させる。このとき、映像制御部１０７は最小の回転で対象体の側面映像がサジタルビューになる方向に回転させる。
【００３２】
例えば、側面映像がサジタルビューである場合、映像制御部１０７は、対象体が第１方向に「２０度」回転するように制御する。第１方向と逆方向の第２方向に３４０度回転させても良いが、第１方向に回転させた方が回転角度は少なく効率的である。
【００３３】
映像制御部１０７は、第１ディスプレイ部１０３を制御して回転する対象体の側面映像を選択された間隔でスキャンし、そのスキャンされた側面映像がサジタルビューになれば、対象体の回転を中止する。
【００３４】
図２は、本発明の一実施形態に係る３次元超音波診断装置のディスプレイシステムで表示する対象体の映像の一例を示す。
【００３５】
図２に示すように、３次元超音波診断装置のディスプレイシステムは人体内にある対象体の側面映像および上面映像をスキャンし、画面上の第１領域２１１および第２領域２１３にそれぞれ表示する。
【００３６】
例えば、３次元超音波診断装置のディスプレイシステムは「第１平面」２０１を眺める側面方向で、対象体の側面映像をスキャンして画面上の第１領域２１１に表示し、「第２平面」２０３を眺める上面方向で、対象体の上面映像をスキャンして画面上の第２領域２１３に表示する。
【００３７】
また、３次元超音波診断装置のディスプレイシステムは「第３平面」２０５を眺める正面方向で、対象体の正面映像をスキャンして画面上の第３領域２１５に表示する。
【００３８】
同様に、３次元超音波診断装置のディスプレイシステムは、対象体が胎児であり、側面映像がサジタルビューである場合、胎児の鼻背と関連した第１特異点、胎児の口蓋と関連した第２特異点、胎児の鼻背と口蓋との間のＦＭＦ角度、項部透明帯の外郭線、または項部透明帯の厚さ（ＮＴ）のうち少なくとも１つを第１領域２１１に表示することもできる。
【００３９】
３次元超音波診断装置のディスプレイシステムは、対象体が胎児であり、側面映像がサジタルビューである場合、「第２平面」２０３を眺める上面方向でスキャンした上面映像の胎児の頭部の円周にマッチングする図形を上面映像と重複させて第２領域２１３に表示する。このとき、３次元超音波診断装置のディスプレイシステムは上面映像の胎児の頭部の円周、すなわち、胎児の頭周縁にマッチングする図形の短軸の長さ（ＢＰＤ：ＢｉＰａｒｉｅｔａｌ  Ｄｉａｍｅｔｅｒ）、長軸の長さ（ＯＦＤ：Ｏｃｃｉｐｉｔｏｆｒｏｎｔａｌ  Ｄｉａｍｅｔｅｒ）、周縁の長さ（ＨＤ：Ｈｅａｄ  Ｃｉｒｃｉｍｆｅｒｅｎｃｅ）または短軸と長軸の比率のうち少なくとも１つを第２領域２１３に表示する。
【００４０】
また、３次元超音波診断装置のディスプレイシステムは、対象体が胎児であり、側面映像がサジタルビューである場合、「第３平面」２０５を眺める正面方向で、スキャンした正面映像の胎児の顔部の円周にマッチングする図形を正面映像と重複させて第３領域２１５に表示してもよい。このとき、３次元超音波診断装置のディスプレイシステムは、正面映像の胎児の顔部の円周、すなわち、胎児の顔周縁にマッチングする図形の短軸の長さ、長軸の長さ、周縁の長さ、または短軸と長軸の比率のうち少なくとも１つを第３領域２１５に表示してもよい。
【００４１】
第２領域２１３および第３領域２１５に表示される図形の中心点は対象体の中心点であって、胎児の鼻背と関連した第１特異点および胎児の口蓋と関連した第２特異点に基づいて抽出される。
【００４２】
３次元超音波診断装置のディスプレイシステムは、側面映像がサジタルビューに該当しない場合、上面映像と関連する対象体のＢプレーンの重点を貫通して、側面映像と関連する対象体のＡプレーンの中を通過する仮想軸２１７を設定して調整命令に応じて仮想軸２１７を中心軸に、対象体を選択された方向に回転し、側面映像がサジタルビューに該当するように制御する。
【００４３】
図３は、本発明の一実施形態に係る３次元超音波診断装置のディスプレイ方法を示すフローチャートである。
【００４４】
図３に示すように、３次元超音波診断装置のディスプレイシステム１０１は、人体内にある対象体の側面映像をスキャンして側面映像を画面上の第１領域２１１に表示する（Ｓ３０１）。
【００４５】
３次元超音波診断装置のディスプレイシステム１０１は、側面方向にスキャンして得た対象体の複数のＡプレーンのうちいずれか１つを側面映像として抽出する。
【００４６】
３次元超音波診断装置のディスプレイシステム１０１は、対象体の上面映像をスキャンして、その上面映像を画面上の第１領域２１１と異なる第２領域２１３に表示する（Ｓ３０３）。
【００４７】
３次元超音波診断装置のディスプレイシステム１０１は、側面方向と直交する上面方向にスキャンして得た複数の対象体のＢプレーンのうちいずれか１つを上面映像として抽出し表示する。
【００４８】
３次元超音波診断装置のディスプレイシステム１０１は、対象体を選択された方向に回転させ、その回転された対象体の側面映像を選択された間隔でスキャンして表示する（Ｓ３０５）。
【００４９】
このとき、３次元超音波診断装置のディスプレイシステム１０１は、対象体の上面映像と関連する対象体のＢプレーンの重点を貫通し、側面映像と関連する対象体のＡプレーンの中を通過する仮想軸２１７を設定して、調整命令に応じて仮想軸２１７を中心軸にし、対象体を選択された方向に回転させる。そしてこのとき、３次元超音波診断装置のディスプレイシステム１０１は、回転する対象体の側面映像を選択された間隔でスキャンし、そのスキャンされた側面映像がサジタルビューになったところで、対象体の回転を中止させる。
【００５０】
３次元超音波診断装置のディスプレイシステム１０１は、スキャンされた側面映像がサジタルビューである場合、回転の中止に連動してスキャンされた側面映像がサジタルビューであることを知らせる情報を第１領域２１１に表示する。
【００５１】
３次元超音波診断装置のディスプレイシステム１０１は対象体が胎児であり、側面映像がサジタルビューである場合、３次元超音波診断装置のＦＭＦ測定部によって測定された胎児の鼻背と口蓋との間のＦＭＦ角度、または３次元超音波診断装置のＮＴ測定部によって測定された胎児の項部透明帯の厚さを第１領域２１１に表示する（Ｓ３０７）。
【００５２】
また、３次元超音波診断装置のディスプレイシステム１０１は対象体が胎児であり、スキャンされた側面映像がサジタルビューである場合、上面映像の胎児の頭部の円周にマッチングする図形を上面映像と重複させて第２領域２１３に表示する（Ｓ３０９）。
【００５３】
このとき、３次元超音波診断装置のディスプレイシステム１０１は、３次元超音波診断装置の頭測定部によって測定された図形の短軸の長さ、長軸の長さ、周縁の長さまたは短軸と長軸の比率のうち少なくとも１つを第２領域２１３に表示する。
【００５４】
以上、本発明の３次元超音波診断装置のディスプレイシステムについて、対象体として胎児または臓器を中心に説明したが、対象体はこれに限定されない。対象体は、たとえば、ヒト以外の他の動物であってもよい。
【００５５】
本発明の実施形態は、多様なコンピュータにより行われるプログラム命令で実現され、コンピュータ読取可能な記録媒体に記録される。前記コンピュータ読取可能な記録媒体は、プログラム命令、データファイル、データ構造などを単独または組み合わせて備えることもできる。前記媒体に記録されるプログラム命令は、本発明の目的のために特別に設計されて構成されたものでもよく、あるいはコンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、オプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行される高級言語コードを含む。
【００５６】
上述したように、本発明は、限定された実施形態と図面によって説明したが、本発明は、上記の実施形態に限定されることなく、本発明が属する分野における通常の知識を有する者であれば、この概念に基づいて多様な修正および変形が可能である。
【００５７】
したがって、本発明の範囲は説明された実施形態に限定されてはならず、後述する特許請求の範囲だけでなく、この特許請求の範囲と均等なものによって定められなければならない。
【符号の説明】
【００５８】
１０１      ３次元超音診断装置のディスプレイシステム
１０３      第１ディスプレイ部
１０５      第２ディスプレイ部
１０７      映像制御部
２０１      第１平面
２０３      第２平面
２０５      第３平面
２１１      第１領域
２１３      第２領域
２１５      第３領域
２１７      仮想軸
【図１】
2011240118.tif 000003
【図２】
2011240118.tif 000004
【図３】
2011240118.tif 000005